(57)【要約】【課題】  使用者が、特殊な端末を用いることなく、遠隔地から医療画像診断装置を起動可能にする。【解決手段】  被検者からの信号を検出する信号検出系と、信号検出系を制御するコンソールと、を備えた医用画像診断装置と、コンソールとネットワークを介して接続されたサーバー装置と、からなる遠隔起動システムであって、信号検出系が停止された状態で、サーバー装置が、遠隔地の端末から信号検出系の再起動要求を受け付けると、コンソールに信号検出系の再起動要求を通知し、コンソールは、サーバー装置から信号検出系の再起動要求を受信すると、該信号検出系の再起動を行うことを特徴とする。【選択図】          図3
2015106322.tif 000002
【特許請求の範囲】
【請求項１】
被検者からの信号を検出する信号検出系と、前記信号検出系を制御するコンソールと、を備えた医用画像診断装置と、
前記コンソールとネットワークを介して接続されたサーバー装置と、からなる遠隔起動システムであって、前記信号検出系が停止された状態で、
前記サーバー装置が、遠隔地の端末から前記信号検出系の再起動要求を受け付けると、前記コンソールに前記信号検出系の再起動要求を通知し、
前記コンソールは、前記サーバー装置から前記信号検出系の再起動要求を受信すると、該信号検出系の再起動を行うことを特徴とする遠隔再起動システム。
【請求項２】
請求項１記載の遠隔起動システムにおいて、
前記コンソールは、Ｗａｋｅ  ｏｎ  ＬＡＮ対応のネットワークインタフェースを備え、
前記コンソールも停止された状態で、前記Ｗａｋｅ  ｏｎ  ＬＡＮ対応のネットワークインタフェースが、前記サーバー装置から前記信号検出系の再起動要求を受信すると、前記コンソールを再起動し、
前記再起動されたコンソールは、前記信号検出系の再起動を行うことを特徴とする遠隔再起動システム。
【請求項３】
被検者からの信号を検出する信号検出系と、前記信号検出系を制御するコンソールと、を備え、前記コンソールとネットワークを介してサーバー装置と接続された医用画像診断装置であって、前記信号検出系が停止された状態で、
前記コンソールは、前記信号検出系の再起動要求を受信すると、該信号検出系の再起動を行うことを特徴とする医用画像診断装置。
【請求項４】
請求項３記載の医用画像診断装置において、
前記コンソールは、Ｗａｋｅ  ｏｎ  ＬＡＮ対応のネットワークインタフェースを備え、
前記コンソールも停止された状態で、前記Ｗａｋｅ  ｏｎ  ＬＡＮ対応のネットワークインタフェースが、前記サーバー装置から前記信号検出系の再起動要求を受信すると、前記コンソールを再起動し、
前記再起動されたコンソールは、前記信号検出系の再起動を行うことを特徴とする医用画像診断装置。
【請求項５】
請求項３又は４記載の医用画像診断装置であって、
前記信号検出系は、静磁場発生装置と傾斜磁場発生装置と高周波磁場発生装置とＮＭＲ信号受信装置とを備えた磁気共鳴イメージング装置の信号検出系であることを特徴とする医用画像診断装置。
【発明の詳細な説明】
【技術分野】
【０００１】
本発明は、医用画像診断装置を遠隔起動するための技術に関する。
【背景技術】
【０００２】
医療画像診断装置は、被検者からの信号を検出する信号検出系と、前記信号検出系を制御するコンソールと、を備えて、被検者からの信号を検出し、該検出した信号に基づいて被検者の画像を生成し、診断に供する装置である。この医療画像診断装置には、X線撮像装置、X線CT装置、磁気共鳴イメージング(以下、「MRI」という)装置、超音波診断装置、PET等がある。
【０００３】
このような医療画像診断装置においては、長時間に亘って検査を実施しない場合、消耗部品の寿命を維持する目的、及び電力消費を低減する目的で、常時動作させる必要がある機能以外を停止することができる。また、停止状態では、全ての機能を停止するのではなく、一部の機能を起動状態として、信号検出系の状態を収集し、ネットワーク経由で通知する機能を有する装置もある
【先行技術文献】
【特許文献】
【０００４】
【特許文献１】特開2008-122707号公報
【発明の概要】
【発明が解決しようとする課題】
【０００５】
医療画像診断装置の一タイプであるMRI装置は、被検者の配置や撮影に時間がかかるため、多くの被検者の検査を効率よく行うことが課題となっている。しかし、MRI装置を停止状態にした場合、停止状態から検査可能な状態に装置を起動する処理に時間がかかる場合がある。この起動時間が長い場合、本来被検者の検査に使われるべき時間が待機時間となってしまう。また、緊急で検査を実施する必要がある場合、この起動時間が長いと、迅速に検査を実施することができない。
【０００６】
従来技術の範囲では、病院等の施設内に配置されたMRI装置が公衆回線に接続されていれば、遠隔地にいる保守対応のエンジニアが公衆回線を経由して施設内のMRI装置の状況を確認することが可能であったものの、遠隔地にいる使用者が遠隔地から施設内のMRI装置の起動等の操作を行うことができなかった。そのため、使用者が施設に到着するまでの時間とMRI装置を検査可能な状態に起動するまでの時間を被検者の検査に供することができなかった。
【０００７】
このようなMRI装置における課題は、停止状態から検査可能な状態に起動するまでの時間が長い他のタイプの医療画像診断装置においても同様の課題となっていた。
そこで本発明は、上記課題を鑑みてなされたものであり、使用者が、特殊な端末を用いることなく、遠隔地から医療画像診断装置を起動可能にすることを目的とする。
【課題を解決するための手段】
【０００８】
上記課題を解決するために、本発明は、被検者からの信号を検出する信号検出系と、信号検出系を制御するコンソールと、を備えた医用画像診断装置と、コンソールとネットワークを介して接続されたサーバー装置と、からなる遠隔起動システムであって、信号検出系が停止された状態で、サーバー装置が、遠隔地の端末から信号検出系の再起動要求を受け付けると、コンソールに信号検出系の再起動要求を通知し、コンソールは、サーバー装置から信号検出系の再起動要求を受信すると、該信号検出系の再起動を行うことを特徴とする。
【発明の効果】
【０００９】
本発明の医用画像診断装置及び遠隔起動システムによれば、使用者が遠隔地から医用画像診断装置を起動可能となる。その結果、遠隔地にいる使用者が、特殊な端末を用いることなく、遠隔地から医用画像診断装置を起動しておけば、使用者は施設に到着後速やかに検査を実施することができる。特に、本発明の医用画像診断装置の起動操作には特殊な端末を用いる必要がないため、使用者は緊急時においても医用画像診断装置の起動操作を行うことができる。
【図面の簡単な説明】
【００１０】
【図１】本発明の医用画像診断装置の一例であるMRI装置全体構成を説明するための図
【図２】本発明の医用画像診断装置とローカルエリアネットワークの配置を説明するための図
【図３】本発明の医用画像診断装置とインターネットの配置を説明するための図
【図４】本発明のコンソールソフトウェアのソフトウェアブロック図
【図５】本発明のサーバーソフトウェアのソフトウェアブロック図
【図６】本発明の各処理の流れを示す図
【図７】本発明の実施例2についての、各処理の流れを示す図
【発明を実施するための形態】
【００１１】
以下、医用画像診断装置の一例であるMRI装置を例にして、本発明の医用画像診断装置及び遠隔起動システムを説明するが、本発明はMRI装置に限定されずに、X線撮像装置、X線CT装置、超音波診断装置、PET等の他のタイプの医用画像診断装置に適用可能である。
【００１２】
なお、添付図面に従って本発明の医用画像診断装置及び遠隔起動システムの好ましい実施形態について詳説する際に、全図において同一機能を有するものは同一符号を付け、その繰り返しの説明は省略する。
【００１３】
最初に、本発明に係るMRI装置の一例の全体概要を図1に基づいて説明する。図1は、本発明に係るMRI装置の一実施例の全体構成を示すブロック図である。このMRI装置は、NMR現象を利用して被検者の断層画像を得るもので、図1に示すように、被検者からの信号を検出する信号検出系と、信号検出系を制御するコンソールとを備えて構成される。
【００１４】
信号検出系は、静磁場発生系2と、傾斜磁場発生系3と、送信系5と、受信系6と、シーケンサ4と、を備えて構成され、コンソール26は、中央処理装置(CPU)8を含む信号処理系7と、操作系25と、を備えて構成される。
【００１５】
静磁場発生系2は、垂直磁場方式であれば、被検者1の周りの空間にその体軸と直交する方向に、水平磁場方式であれば、体軸方向に均一な静磁場を発生させるもので、被検者1の周りに永久磁石方式、常電導方式あるいは超電導方式の静磁場発生源が配置されている。
【００１６】
傾斜磁場発生系3は、MRI装置の座標系(静止座標系)であるX，Y，Zの3軸方向に傾斜磁場を印加する傾斜磁場コイル9と、それぞれの傾斜磁場コイルを駆動する傾斜磁場電源10とから成り、後述のシ−ケンサ4からの命令に従ってそれぞれのコイルの傾斜磁場電源10を駆動することにより、X，Y，Zの3軸方向に傾斜磁場Gx，Gy，Gzを印加する。撮影時には、スライス面(撮影断面)に直交する方向にスライス方向傾斜磁場パルス(Gs)を印加して被検者1に対するスライス面を設定し、そのスライス面に直交して且つ互いに直交する残りの2つの方向に位相エンコード方向傾斜磁場パルス(Gp)と周波数エンコード方向傾斜磁場パルス(Gf)を印加して、エコー信号にそれぞれの方向の位置情報をエンコードする。
【００１７】
シーケンサ4は、高周波磁場パルス(以下、「RFパルス」という)と傾斜磁場パルスをある所定のパルスシーケンスで繰り返し印加する制御手段で、CPU8の制御で動作し、被検者1の断層画像のデータ収集に必要な種々の命令を送信系5、傾斜磁場発生系3、および受信系6にそれぞれ送る。
【００１８】
送信系5は、被検者1の生体組織を構成する原子の原子核スピンに核磁気共鳴を起こさせるために、被検者1にRFパルスを照射するもので、高周波発振器11と変調器12と高周波増幅器13と送信側の高周波コイル(送信コイル)14aとから成る。高周波発振器11から出力されたRFパルスをシーケンサ4からの指令によるタイミングで変調器12により振幅変調し、この振幅変調されたRFパルスを高周波増幅器13で増幅した後に被検者1に近接して配置された高周波コイル14aに供給することにより、RFパルスが被検者1に照射される。
【００１９】
受信系6は、被検者1の生体組織を構成する原子核スピンの核磁気共鳴により放出されるエコー信号(NMR信号)を検出するもので、受信側の高周波コイル(受信コイル)14bと信号増幅器15と直交位相検波器16と、A/D変換器17とから成る。送信側の高周波コイル14ａから照射された電磁波によって誘起された被検者1の応答のNMR信号が被検者1に近接して配置された高周波コイル14bで検出され、信号増幅器15で増幅された後、シーケンサ4からの指令によるタイミングで直交位相検波器16により直交する二系統の信号に分割され、それぞれがA/D変換器17でディジタル量に変換されて、信号処理系7に送られる。
【００２０】
信号処理系7は、各種データ処理と処理結果の表示及び保存等を行うもので、光ディスク19、磁気ディスク18等の外部記憶装置と、CRT等からなるディスプレイ20とを有する。受信系6からのデータがCPU8に入力されると、CPU8が信号処理、画像再構成等の処理を実行し、その結果である被検者1の断層画像をディスプレイ20に表示すると共に、外部記憶装置の磁気ディスク18等に記録する。
【００２１】
操作系25は、MRI装置の各種制御情報や上記信号処理系7で行う処理の制御情報を入力するもので、トラックボール又はマウス23、及び、キーボード24から成る。この操作系25はディスプレイ20に近接して配置されている。
【００２２】
コンソール26は中央処理装置(CPU)8を含む信号処理系7と操作系25から構成される。そして、磁気ディスク18にはコンソール26上で使用されるコンソールソフトウェアが格納され、システム動作時にRAM22上にロードされる。このソフトウェアを用いて、操作者は検査前の前処理(被検者の登録、撮像条件の計画等)、検査処理(画像撮影位置の設定、画像撮影条件の設定等)、および検査後の後処理(画像イメージャ出力処理、画像ネットワーク送受信処理、画像メディア保存処理、2次元又は3次元画像処理等)を、ディスプレイ20を見ながらインタラクティブに実施する。各処理において、使用されるデータは予め磁気ディスク18に保存されており、また生成されたデータは磁気ディスク18に保存される。
【００２３】
なお、図1において、送信側の高周波コイル14aと傾斜磁場コイル9は、被検者1が挿入される静磁場発生系2の静磁場空間内に、垂直磁場方式であれば被検者1に対向して、水平磁場方式であれば被検者1を取り囲むようにして設置されている。また、受信側の高周波コイル14bは、被検者1に対向して、或いは取り囲むように設置されている。
【００２４】
現在MRI装置の撮像対象核種は、臨床で普及しているものとしては、被検者の主たる構成物質である水素原子核(プロトン)である。プロトン密度の空間分布や、励起状態の緩和時間の空間分布に関する情報を画像化することで、人体頭部、腹部、四肢等の形態または、機能を2次元もしくは3次元的に撮像する。
【００２５】
次に本発明の各装置系の配置を図2に基づいて説明する。
【００２６】
信号検出系27には、図1で説明した静磁場発生系2、傾斜磁場発生系3、送信系5、受信系6、及びシーケンサ4が含まれる。コンソール26は信号処理系7と操作系25を含む。コンソール26は信号検出系27が設置される検査室に隣接した、操作者が作業を行う操作室に設置される。
【００２７】
MRI装置28は、信号検出系27とコンソール25から構成される。施設によっては、施設内のローカルエリアネットワーク29を介して、MRI装置28に画像サーバー装置30、病院情報システム装置31、及びイメージャ32が接続される場合がある。
【００２８】
画像サーバー装置30は、ローカルエリアネットワーク29を介してコンソール26に接続される。操作者はコンソール26から画像を選択し、画像サーバー装置30へ転送を行う。画像サーバー装置30では、画像の閲覧、及び2次元もしくは3次元の画像処理を行う。
【００２９】
病院情報システム装置31は、ローカルエリアネットワーク29を介してコンソール26に接続される。コンソール26は病院情報システム31から検査を行う被検者の情報を受信する。
イメージャ32は、ローカルエリアネットワーク29を介してコンソール26に接続される。操作者はコンソール26でフィルムに出力する画像情報を編集し、イメージャ32に送信する。イメージャ32は送信された画像情報のフィルム出力を行う。
【実施例１】
【００３０】
次に、本発明の医用画像診断装置及び遠隔起動システムの実施例1を説明する。本実施例1は、医用画像診断装置の信号検出系が停止された状態で、サーバー装置が遠隔地の端末から信号検出系の再起動要求を受け付けると、コンソールに信号検出系の再起動要求を通知し、コンソールは信号検出系の再起動を行う。以下、図3を用いて本実施例1を詳細に説明する。
【００３１】
本実施例1ではMRI装置28を公衆回線であるインターネット35に接続する。図3では施設内のローカルエリアネットワーク29内にブロードバンドルーター34を設置し、インターネット35に接続する。
【００３２】
一方、サービス拠点のような施設には、サーバー装置38を配置する。サーバー装置38はブロードバンドルーター36を介してインターネット35に接続する。
【００３３】
インターネット35から不特定多数のアクセスを制限する目的で、MRI装置28側ではブロードバンドルーター34とローカルエリアネットワーク29との間、及び、サーバー装置38側ではブロードバンドルーター36とサーバー装置38との間には、それぞれ一般的なファイヤーウォール端末33、37を配置し、仮想プライベートネットワークのような構成を構築することが望ましい。
【００３４】
MRI装置28の使用者は、一般的な携帯端末又はPC装置39を用いて、一般的なWebブラウザによりインターネット35に接続することができる。
【００３５】
サーバー装置38が一般的なWebサーバーとして振舞うために、ファイヤーウォール端末37はインターネット35からHTTP又はHTTPSにより接続可能な構成を構築することが望ましい。
【００３６】
次に、実施例1の遠隔起動システムに係るMRI装置内のソフトウェア構成について図4を用いて説明する。
【００３７】
コンソールソフトウェア40は、コンソール26上で、操作者に検査処理を行うためのグラフィカルユーザインターフェイス(以下GUI)画面を提供する。コンソールソフトウェア40は、オペレーションシステム41、MRI装置の制御ソフトウェア42とで構成される。
【００３８】
オペレーションシステム41は、コンソールソフトウェア40内でCPU、RAM、磁気ディスクの制御を行うソフトウェア部分である。
【００３９】
MRI装置制御ソフトウェア42は、オペレーションシステム41を使用し、MRI装置の使用者にMRI装置の機能を操作するGUIを提供するソフトウェアである。MRI装置制御ソフトウェア42は、被検者の登録、検査パラメータの編集、検査の実行、検査結果の画像閲覧、2次元又は3次元の画像処理、画像サーバー装置への画像転送、イメージャでフィルム出力させる画像のレイアウト編集、フィルム出力等を行う。
【００４０】
コンソールソフトウェア40は、MRI装置28の信号検出系27を起動する前に、コンソール26内の磁気ディスク18からロードされ、RAM22上に展開される。
【００４１】
次に、実施例1の遠隔起動システムに係るサーバー装置38内のソフトウェア構成について図5を用いて説明する。
【００４２】
サーバー制御ソフトウェア43は、サーバー装置38上で動作するソフトウェアである。サーバー制御ソフトウェア43は、オペレーションシステム44、サーバーソフトウェア45から構成される。
【００４３】
オペレーションシステム44は、サーバー制御ソフトウェア43内でCPU、RAM、磁気ディスクの制御を行うソフトウェア部分である。
【００４４】
サーバーソフトウェア45は、オペレーションシステム44の機能を用いて、コンソールソフトウェア40とネットワークを介して接続される。また、サーバーソフトウェア45は、HTTP又はHTTPSを用いるWebサーバーとしての機能を持ち、インターネットを介して一般的なWeb端末と接続できる。また、サーバー装置38内の記憶部には、使用者のアカウント名及びパスワードと、該使用者が使用するMRI装置のIPアドレスとを関連付けて記憶されている。
【００４５】
次に、実施例1の信号検出系27の遠隔起動を行うための、コンソールソフトウェア40、サーバーソフトウェア45、携帯端末又はPC装置39の使用者の処理フローについて図6を用いて説明する。
【００４６】
ステップ46では、操作者は、MRI装置を長時間使用しない場合、コンソールソフトウェア40上で、信号検出系27の停止を選択する。
【００４７】
ステップ47では、コンソールソフトウェア40はMRI装置内のコンソール26以外の信号検出系27の停止を行う。また、コンソールソフトウェア40は、ディスプレイ20に、信号検出系27が現在停止状態であることを示す表示を行う。
【００４８】
ステップ48では、コンソールソフトウェア40は待機状態となる。この待機状態では、コンソールソフトウェア40は、サーバーソフトウェア45から再起動要求があるか、及びコンソール26上で使用者により信号検出系27の再起動操作が行われるかを数秒毎に確認する。また、コンソールソフトウェア40は、待機状態において、サーバーソフトウェア45からの再起動要求を待機する以外の処理を実施してもよい。例えば、信号検出系27に接続されたセンサーを配置し、コンソールソフトウェア40がそのセンサーが検出した情報をサーバーソフトウェア45に送信するような機能を行うこともできる。
【００４９】
ステップ49では、サーバーソフトウェア45は、待機状態であって、HTTP又はHTTPSサーバーとして動作し、携帯端末又はPC装置39からのインターネット接続を待機している。
【００５０】
ステップ50では、使用者は、一般的なWebブラウザを用いて携帯端末又はPC装置39からインターネットを介してサーバーソフトウェア45に接続する。
【００５１】
ステップ51では、サーバーソフトウェア45は、使用者の確認を行う。例えば、使用者のWebブラウザ上から使用者のアカウント名とパスワードの入力を促すような方法を用いる。
【００５２】
ステップ52では、サーバーソフトウェア45は、使用者が入力したアカウント名及びパスワードが定義済み(サーバー装置38内の記憶部に記憶されている)か否かの確認を実施する。未定義の(サーバー装置38内の記憶部に記憶されていない)アカウント名及びパスワードの場合(No)には、サーバーソフトウェア45は、携帯端末又はPC装置39との接続を切断する。定義済みのアカウント名及びパスワードの場合(Yes)には、サーバーソフトウェア45は、認証が成功したことを表す表示と、認証した使用者が使用するMRI装置の信号検出系27を再起動するか選択できる表示と、を携帯端末又はPC装置39のWebブラウザに行う。
【００５３】
ステップ53では、使用者はWebブラウザ上でMRI装置の信号検出系27の再起動を選択する。
【００５４】
ステップ54では、使用者が再起動要求を実施した場合、サーバーソフトウェア45は、該当するMRI装置のIPアドレスをサーバー装置38内の記憶部から読み出して、読み出したIPアドレスに対して、再起動要求を行う。
【００５５】
ステップ55では、コンソールソフトウェア40は、サーバーソフトウェア45からMRI装置の信号検出系27の再起動の要求があった場合(Yes)、ステップ57へ遷移する。再起動要求がない場合(No)、ステップ56へ遷移する。
【００５６】
ステップ56では、コンソールソフトウェア40は、コンソール26上で使用者がMRI装置の信号検出系27の再起動操作をGUI上から実施した場合(Yes)、ステップ57へ遷移する。再起動要求がない場合(No)、ステップ48へ遷移する。
【００５７】
ステップ57では、コンソールソフトウェア40は、待機状態を終了し、停止していたMRI装置の信号検出系27の再起動を行う。MRI装置がこの再起動操作から検査可能になるまで時間が必要な場合でも、遠隔地から再起動操作を実施できるため、使用者が遠隔地からMRI装置が配置された施設に到着するまでにはMRI装置が検査可能な状態となっている。
【００５８】
以上までが、実施例1のコンソールソフトウェア40、サーバーソフトウェア45、携帯端末又はPC装置39の使用者の振舞いについての説明である。
【００５９】
以上説明したように、本実施例1の医用画像診断装置及び遠隔起動システムによれば、使用者は、携帯端末又はPC装置を用いて、遠隔地からサーバー装置を経由してMRI装置の信号検出系27を再起動できる。その結果、遠隔地にいる使用者が施設に到着後速やかにMRI装置で検査を実施することができる。特に、MRI装置の起動操作には特殊な端末を用いる必要がないため、使用者は緊急時においても遠隔地からMRI装置の起動操作を行うことができる。
【実施例２】
【００６０】
次に、本発明の医用画像診断装置及び遠隔起動システムの実施例2を説明する。本実施例2は、コンソールがWake on LAN対応のネットワークインタフェースを備え、信号検出系とコンソールとが停止された状態で、Wake on LAN対応のネットワークインタフェースがサーバー装置から信号検出系の再起動要求を受信するとコンソールを再起動し、再起動されたコンソールが信号検出系の再起動を行う。以下、図7を用いて本実施例2を詳細に説明する。
【００６１】
実施例1では、MRI装置の信号検出系27を停止した場合、サーバーソフトウェア45からのMRI装置の信号検出系27の再起動要求を待機するため、コンソールソフトウェア40は待機状態として通電中である必要があった。
【００６２】
これに対して、実施例2では、MRI装置内のコンソール26に使用されるネットワークカード21、オペレーティングシステム41等を一般的なWake on LANによるネットワーク経由の装置起動に対応した装置とすることで、コンソール26が停止した状態においても、MRI装置全体、つまり、信号検出系27のみならずコンソール26をも再起動できる構成とする。
【００６３】
実施例2においては、図3、図4、及び図5で示したネットワーク構成、ソフトウェア構成は同一である。
【００６４】
次に、実施例2のコンソールソフトウェア40、サーバーソフトウェア45、携帯端末、及びPC装置39使用者の振舞いについて図7を用いて説明する。
【００６５】
ステップ58では、操作者がMRI装置を長時間使用しない場合、操作者はコンソールソフトウェア上でMRI装置の停止操作を実施する。
【００６６】
ステップ59では、コンソールソフトウェアはMRI装置内の信号検出系27を停止し、コンソール26自身の停止処理を実施する。
【００６７】
図7内に示したステップ49、50、51、52、53は図6に示したステップと同様の処理を行う。
【００６８】
ステップ60では、サーバーソフトウェア45は、アカウント名で特定される使用者のIPアドレスに対して、Wake on LANの起動用パケットを送信する。
【００６９】
ステップ61では、Wake on LANに対応したネットワークカード21が起動用パケットを受信し、MRI装置のコンソール26の起動を行う。コンソール26は磁気ディスク18上からコンソールソフトウェア40をRAM22上にロードする。
【００７０】
ステップ62では、起動されたコンソールソフトウェア40が停止していたMRI装置の信号検出系27の起動を行う。
【００７１】
以上までが、実施例2のコンソールソフトウェア40、サーバーソフトウェア45、携帯端末又はPC装置39の使用者の振舞いについての説明である。
【００７２】
実施例2でも、使用者は遠隔地からMRI装置の起動操作を実施できるため、使用者が遠隔地から施設に到着するまでにはMRI装置は検査可能な状態となっている。また、前述の実施例1と異なり、MRI装置の信号検出系27のみならずコンソール26をも停止させた(つまり通電状態でない)場合においても、遠隔地からMRI装置全体の再起動を行うことができる。
【００７３】
以上説明したように、本実施例2の医用画像診断装置及び遠隔起動システムは、コンソール26が停止した状態においてもMRI装置全体を再起動できるようになる。その結果、MRI装置の信号検出系27とコンソール26とを停止させてさらに節電する運用形態であっても、遠隔地からMRI装置全体の再起動を行うことができる。
【００７４】
以上、本発明の実施例を述べたが、本発明はこれらに限定されるものではない。
【００７５】
例えば、使用者が施設に到着するまで、再起動されたMRI装置の監視を、サーバー装置を介して、サーバー装置が配置された別施設のサービス員が行ってもよい。この場合には、コンソール26がMRI装置の信号検出系27を再起動した後に、再起動をサーバー装置38のサーバーソフトウェア45に通知し、通知を受信したサーバーソフトウェア45は、サービス員の端末に、再起動されたMRI装置の監視を依頼する。そして、サービス員が端末を介してMRI装置の監視を行う。さらに、サービス員又はサーバー装置38は、使用者が施設に到着するまで、MRI装置の状況を定期的に使用者の携帯端末又はPC装置39に通知してもよい。
【００７６】
また、コンソール26がMRI装置の信号検出系27を再起動できなかった場合には、その旨を直ちにサーバーソフトウェア45を経由して、サーバー装置が配置された別施設のサービス員の端末と使用者の携帯端末又はPC装置39とに通知してもよい。その場合には、サービス員は、自身の端末からサーバーソフトウェア45を介して、MRI装置の故障診断を行い、復旧処理に取り掛かるとともに、復旧情報をサーバーソフトウェア45を介して使用者の携帯端末又はPC装置39に通知する。
【００７７】
また、前述の実施例1，2ではMRI装置の使用者からのMRI装置の再起動要求であったが、使用者としては、救急車で急患を搬送する救急隊員、MRI装置での検査が必要な患者が来院した際の受け付け員、MRI装置が配置された病院へ向かうサービス員であってもよい。
【符号の説明】
【００７８】
1  被検者、2  静磁場発生系、3  傾斜磁場発生系、4  シーケンサ、5  送信系、6  受信系、7  信号処理系、8  中央処理装置(CPU)、9  傾斜磁場コイル、10  傾斜磁場電源、11  高周波発信器、12  変調器、13  高周波増幅器、14ａ  高周波コイル(送信コイル)、14b  高周波コイル(受信コイル)、15  信号増幅器、16  直交位相検波器、17  A/D変換器、18  磁気ディスク、19  光ディスク、20  ディスプレイ、21  ネットワークカード、22  RAM、23  トラックボール又はマウス、24  キーボード、25  操作系、26  コンソール、27  信号検出系、28  MRI装置、29  ローカルエリアネットワーク、30  画像サーバー装置、31  病院情報システム装置、32  イメージャ、33  MRI装置側のファイヤーウォール端末、34  MRI装置側のブロードバンドルーター、35  インターネット、36  サーバー装置側のブロードバンドルーター、37  サーバー装置側のブロードバンドルーター、38  サーバー装置、39  携帯端末、及びPC装置、40  コンソールソフトウェア、41  オペレーションシステム、42  MRI装置制御ソフトウェア、43  サーバー制御ソフトウェア、44  オペレーションシステム、45  サーバーソフトウェア、46  操作者が停止を選択、47  信号検出系を停止、48  コンソールソフトウェア待機、49  サーバーソフトウェア待機、50  Webブラウザでサーバーに接続、51  使用者を確認、52  登録された使用者か確認、53  Webブラウザ上で再起動を選択、54  MRI装置に再起動を要求、55  サーバーから再起動要求あるか、56  GUI上で再起動操作あるか、57  MRI装置の再起動操作を実施、58  操作者が停止を選択、59  MRI装置内の検出器、コンソールを停止、60  MRI装置にWake on LANパケットを送信、61  コンソールが起動され、コンソールソフトウェアがロードされる、62  検出器を起動
【図１】
2015106322.tif 000003
【図２】
2015106322.tif 000004
【図３】
2015106322.tif 000005
【図４】
2015106322.tif 000006
【図５】
2015106322.tif 000007
【図６】
2015106322.tif 000008
【図７】
2015106322.tif 000009